(57)【要約】【課題】手書き入力された情報の印刷や保存、転送等が不用意に行われることのない入力表示装置の提供。【解決手段】入力表示装置１は、情報を表示する表示面を有する表示部１１と、表示面に対するユーザのペンによる手書き入力を検出するタッチパネル１２と、を備え、手書き入力された情報を表示部１１に表示するものであって、手書き入力に用いられたペン２の種別を示す種別情報を取得するペン種別情報取得部と、表示された手書き入力情報の処理が指示された際に、当該手書き入力に用いられたペン２について種別情報が示すペン２の種別に応じて、処理の実行態様を異ならせる制御部１０と、を備える。【選択図】図１
2016035664.tif 000002
【特許請求の範囲】
【請求項１】
情報を表示する表示面を有する表示部と、前記表示面に対するユーザのペンによる手書き入力を検出するタッチパネルと、を備え、手書き入力された情報を前記表示部に表示する入力表示装置であって、
前記手書き入力に用いられたペンの種別を示す種別情報を取得するペン種別情報取得部と、
表示された前記手書き入力された情報の処理が指示された際に、当該手書き入力に用いられたペンについて前記種別情報が示すペンの種別に応じて、前記処理の実行態様を異ならせる制御部と、を備えることを特徴とする入力表示装置。
【請求項２】
前記種別情報は、前記表示面に対する前記ペンの角度を示す情報であり、
前記制御部は、前記表示面に対する前記ペンの角度に応じて、前記処理の実行態様を異ならせることを特徴とする請求項１に記載の入力表示装置。
【請求項３】
前記ペンの傾き情報を、当該ペンから受信する傾き情報受信部を備え、
前記ペン種別情報取得部は、前記ペンの傾き情報に基づいて、前記表示面に対する前記ペンの角度を示す情報を取得することを特徴とする請求項２に記載の入力表示装置。
【請求項４】
前記種別情報は、前記ペンを識別する識別情報であり、
前記制御部は、前記識別情報に応じて、前記処理の実行態様を異ならせることを特徴とする請求項１に記載の入力表示装置。
【請求項５】
前記種別情報は、前記タッチパネルに対する前記ペンの接触状態を示す情報であり、
前記制御部は、前記タッチパネルに対する前記ペンの接触状態に応じて、前記処理の実行態様を異ならせることを特徴とする請求項１に記載の入力表示装置。
【請求項６】
前記処理は、前記手書き入力された情報の保存処理、印刷処理及び転送処理のいずれか１つであることを特徴とする請求項１〜５のいずれか１項に記載の入力表示装置。
【請求項７】
前記実行態様は、前記処理の中止または実行であることを特徴とする請求項１〜６のいずれか１項に記載の入力表示装置。
【発明の詳細な説明】
【技術分野】
【０００１】
本発明は、入力表示装置に関し、特に、タッチパネルを備え、ペンによる手書き入力が可能な入力表示装置に関する。
【背景技術】
【０００２】
液晶パネル等の表示装置と、タッチ操作による入力を検出可能なタッチパネルとが一体となった入力表示装置が知られている。このタッチパネルが一体となった入力表示装置は、例えば、教室やオフィスなどで電子黒板として使用される。このような入力表示装置に対しては、ユーザはペンを用いて手書き入力することが多い。
【０００３】
特許文献１には、異なる複数のタッチペンによる手書き情報の入力を受け付け、手書き情報を表示手段へ表示する入力表示装置が開示されている。この入力表示装置は、タッチペンによる入力時の接触点の状態を判別し、判別された接触点の状態に対応づけて記憶されている識別情報にしたがってペンを識別する。そして、手書き情報を表示する際は、当該ペンの識別情報に対応づけて記憶されている書式情報などに従って表示を行う。
【０００４】
ペンによる手書き入力可能な入力表示装置は、低価格が進み、電子黒板以外の用途、例えば対面式の商談などで用いられてきている。
対面式の商談に用いられる入力表示装置も他のものと同様に、手書き入力した情報を、プリンタを介して印刷したり、当該入力表示装置の記憶部に保存したり、客側の端末に転送したりできるようになっている。
【先行技術文献】
【特許文献】
【０００５】
【特許文献１】特開２０１１−２８６９７号公報
【発明の開示】
【発明が解決しようとする課題】
【０００６】
しかし、店員が入力表示装置に手書き入力した内容の印刷物を客が持ちかえると店員にとって不都合な場合がある。例えば、客に個別に提示した特約情報等である。また、客が手書き入力した内容を当該入力表示装置に保存すると客にとって不都合な場合がある。例えば、客の個人情報を他の客などが利用可能な入力表示装置に保存しておくのは問題がある。
特許文献１には、この点に関し何らの開示も示唆もない。
【０００７】
本発明は、上述のような実情に鑑みてなされたものであり、手書き入力された情報の印刷や保存、転送等が不用意に行われることのない入力表示装置を提供することをその目的とする。
【課題を解決するための手段】
【０００８】
上記課題を解決するために、本発明の第１の技術手段は、情報を表示する表示面を有する表示部と、前記表示面に対するユーザのペンによる手書き入力を検出するタッチパネルと、を備え、手書き入力された情報を前記表示部に表示する入力表示装置であって、前記手書き入力に用いられたペンの種別を示す種別情報を取得するペン種別情報取得部と、表示された前記手書き入力された情報の処理が指示された際に、当該手書き入力に用いられたペンについて前記種別情報が示すペンの種別に応じて、前記処理の実行態様を異ならせる制御部と、を備えることを特徴としたものである。
【０００９】
本発明の第２の技術手段は、第１の技術手段において、前記種別情報が、前記表示面に対する前記ペンの角度を示す情報であり、前記制御部が、前記表示面に対する前記ペンの角度に応じて、前記処理の実行態様を異ならせることを特徴としたものである。
【００１０】
本発明の第３の技術手段は、第２の技術手段において、前記ペンの傾き情報を、当該ペンから受信する傾き情報受信部を備え、前記ペン種別情報取得部が、前記ペンの傾き情報に基づいて、前記表示面に対する前記ペンの角度を示す情報を取得することを特徴としたものである。
【００１１】
本発明の第４の技術手段は、第１の技術手段において、前記種別情報が、前記ペンを識別する識別情報であり、前記制御部が、前記識別情報に応じて、前記処理の実行態様を異ならせることを特徴としたものである。
【００１２】
本発明の第５の技術手段は、第１の技術手段において、前記種別情報が、前記タッチパネルに対する前記ペンの接触状態を示す情報であり、前記制御部が、前記タッチパネルに対する前記ペンの接触状態に応じて、前記処理の実行態様を異ならせることを特徴としたものである。
【００１３】
本発明の第６の技術手段は、第１〜５のいずれか１の技術手段において、前記処理が、前記手書き入力された情報の保存処理、印刷処理及び転送処理のいずれか１つであることを特徴としたものである。
【００１４】
本発明の第７の技術手段は、第１〜６のいずれか１の技術手段において、前記実行態様は、前記処理の中止または実行であることを特徴としたものである。
【発明の効果】
【００１５】
本発明の入力表示装置によれば、手書き入力された情報の印刷や保存、転送等が不用意に行われるのを防ぐことができる。
【図面の簡単な説明】
【００１６】
【図１】本発明の実施例１の入力表示装置と、該入力表示装置に対する手書き入力に用いられるペンの一例を説明するためのブロック図である。
【図２】図１のペンの模式図である。
【図３】図１の角度別設定記憶部に記憶する情報を説明する図である。
【図４】図１の入力表示装置の動作例を示す図である。
【図５】図１の入力表示装置の動作処理を説明するフローチャートである。
【図６】図１の入力表示装置の動作処理を説明するフローチャートである。
【図７】本発明の実施例３の入力表示装置と、該入力表示装置に対する手書き入力に用いられるペンを説明するための図である。
【図８】本発明の実施例４の入力表示装置と、該入力表示装置に対する手書き入力に用いられるペンの一例を説明するためのブロック図である。
【図９】図８のペンＩＤ別設定記憶部に記憶する情報の一例を説明する図である。
【図１０】図８の入力表示装置の動作処理を説明するフローチャートである。
【図１１】図８の入力表示装置の動作処理を説明するフローチャートである。
【発明を実施するための形態】
【００１７】
以下、図面を参照しながら、本発明の入力表示装置の好適な実施形態について説明する。なお、以下の発明において、異なる図面においても同じ符号を付した構成は同様のものであるとして、その説明を省略する。
【００１８】
（実施例１）
図１は、本発明の実施例１の入力表示装置と、該入力表示装置に対する手書き入力に用いられるペンの一例を説明するためのブロック図である。図２は、図１のペンの外形の模式図である。
【００１９】
入力表示装置１は、図１に示すように、制御部１０、表示部１１、タッチパネル１２、画面制御部１３、ペン通信部１４、角度判定部１５、記憶部１６及び印刷機出力部１７を備える。以下の説明では、入力表示装置１が、対面式の商談で用いられ、表示部１１の表示面が水平となるような状態で用いられるものとする。
【００２０】
制御部１０は、ＣＰＵ（Central Processing Unit）等から構成されるもので、入力表示装置１全体を制御する。
表示部１１は、例えば液晶表示パネルから構成されるもので、手書き入力を含むユーザ入力に基づく表示画面を表示面に表示する。
タッチパネル１２は、表示部１１の表示面を覆うように設けられ該表示面に対するユーザのタッチ入力を検出する。本例では、タッチパネル１２は投影型静電容量方式のタッチパネルであるものとする。
画面制御部１３は、表示部１１の表示面に表示する表示画面を制御する。
ペン通信部１４は、Bluetooth（登録商標）やZigBee（登録商標）などによりペン２と通信するものである。このペン通信部１４は、ペン２の傾き情報を該ペン２より受信する「傾き情報受信部」である。
【００２１】
ここで、ペン２について説明する。
ペン２は、制御部２０、通信部２１、接触検出部２２、傾き情報取得部２３を備える。ペン２のペン先には導電性チップが用いられており、ペン先が入力表示装置１のタッチパネル１２に触れたときにタッチパネル１２が検出可能となっている。
制御部２０は、ＣＰＵ（Central Processing Unit）等から構成されるもので、ペン２全体を制御する。
【００２２】
通信部２１は、Bluetooth（登録商標）やZigBee（登録商標）などにより入力表示装置１と通信するものである。
【００２３】
接触検出部２２は、ペン２のペン先とタッチパネル１２との接触を検知できる。例えば、特開２００９−２８８９６８号公報に記載のような構成を採用することで上記接触を検知できる。
【００２４】
傾き情報取得部２３は、ペン２の傾き情報を取得するものである。この傾き情報取得部２３は、例えば、３軸加速度センサ及び地磁気センサを含み、これらセンサからの出力に基づいてペン２の軸方向がいずれの方角を向いているかを示す方角情報を傾き情報として取得し出力する。なお、ペン２の軸方向とは、図２のペン２の中心軸２ａを通りペン２の先端２ｂから後端２ｃに向かう方向である。
ペン２は、接触検出部２２によって該ペン２のペン先とタッチパネル１２との接触が検知されると、傾き情報取得部２３により傾き情報を取得し通信部２１を介して入力表示装置１に送信する。
【００２５】
図１の入力表示装置１の説明に戻る。
入力表示装置１の角度判定部１５は、通信部１４を介して受信した傾き情報に基づいて、表示部１１の表示面に対するペン２の角度を判定し、該角度を示す情報を取得する。角度判定部１５は、上記ペン２の角度を示す情報を、ペンの種別を示す種別情報として取得する「ペン種別情報取得部」である。入力表示装置１は、不図示の地磁気センサを含み、該装置１の正面が向いている方角を検出できるようになっている。入力表示装置１の正面とは、通常表示を行った際に正方向の画像が見られる位置であり、対面式の商談で入力表示装置１が用いられたときに客側に通常向けられる方向である。角度判定部１５は、例えば、この入力表示装置１の正面が向いている方角の情報と、ペン２から傾き情報として取得したペン２の軸方向の方角情報とに基づいて、表示部１１の表示面に対するペン２の角度を判定する。
【００２６】
記憶部１６は、ＨＤＤ（Hard Disk Drive）やＲＯＭ（Read Only Memory）等の記憶媒体から成り、各種情報を記憶するもので、角度別設定記憶部１６ａを有する。
角度判定部１５で判定した、表示部１１の表示面に対するペン２の角度によって、どのようなユーザに用いられているペンかを推定できる。
入力表示装置１では、後述のように、手書き入力された情報（以下、手書き入力情報という）の印刷や保存などの処理が指示された際に、当該手書き入力に用いられたペンの表示面に対する角度に応じて、上記処理の実行態様を異ならせる。これを可能とするために、角度別設定記憶部１６ａは、上記処理の実行態様の設定を角度別に予め記憶する。
【００２７】
印刷機出力部１７は、不図示の印刷機に対してネットワーク（例えば、ローカルエリアネットワーク）等を介してデータを出力する。
【００２８】
図３は、角度別設定記憶部１６ａに記憶する情報を説明する図である。ここでは、図３（Ａ）の表示面１１ａの向き（表示面１１ａの正面とは反対側から該正面側に向かう方向、すなわち図の上から下に向かう方向）とペン２の軸方向が一致する場合に上記ペン２の角度を０°とし、ペン２の軸方向が反時計回り方向にずれるにしたがって、上記ペン２の角度の値は増加する。なお、図３（Ｂ）は角度別設定記憶部１５ａが記憶するテーブルの一例である。
【００２９】
表示面１１ａに対するペン２の角度が、４６〜１３５°の場合は、手書き入力に用いられているペンが、正面側にいるユーザすなわち客に用いられているペンであることが推定される。したがって、当該ペンを用いた手書き入力情報には、客の個人情報などが含まれる場合があり、その場合、入力表示装置１に保存することは好ましくない。ただし、当該ペンを用いた手書き入力情報は、客のメモが含まれる場合があるので客が持ち帰れるように印刷することには問題はない。そこで、角度別設定記憶部１６ａは、図３（Ｂ）のテーブルＴ１のように、表示面１１ａに対する角度が４６〜１３５°のペンについて、保存処理が中止され、印刷処理が開始され実行されるように設定を記憶している。
【００３０】
一方、表示面１１ａに対するペン２の角度が、２２６〜３１５°の場合は、手書き入力に用いられているペンが、正面側とは反対側にいるユーザすなわち店員に用いられているペンであることが推定される。したがって、当該ペンを用いた手書き入力情報には、店員による特約情報などが含まれる場合があり、その場合、印刷して客に持ち帰られるのは好ましくない。ただし、その特約情報などは後に店員本人が確認できるように当該入力表示装置１に保存することには問題はない。そこで、角度別設定記憶部１６ａは、テーブルＴ１のように、表示面１１ａに対する角度が２２６〜３１５°のペンについて、保存処理が開始され実行され、印刷処理が中止されるように設定を記憶している。
【００３１】
また、表示面１１ａに対するペン２の角度が、０〜４５°、１３６〜２２５°、３１６〜３６０°の場合は、正面側から見て右側または左側にいるユーザに用いられているペンであることが推定されるが、そのユーザが客か店員かは推定できない。それに対し、角度別設定記憶部１６ａは、テーブルＴ１のように、表示面１１ａに対する角度が０〜４５°、１３６〜２２５°、３１６〜３６０°のペンについて、保存処理と印刷処理のいずれも実行が中止されるように設定を記憶している。
【００３２】
以上の各部を備える図１の入力表示装置１は、ペン２から取得された傾き情報に基づいて判定された上記ペン２の角度に対応する処理の実行態様の設定を、所定のタイミングで角度別設定記憶部１６ａを参照して取得する。
そして、表示されたペン２による手書き入力情報について、保存処理や印刷処理の実行が指示されると、上記処理の実行態様の設定に基づいて、指示された処理を中止したり開始したりする。
【００３３】
これにより、入力表示装置１では、手書き入力された情報の印刷や保存が不用意に行われることのないようにすることができる。
【００３４】
図４は、表示中の手書き入力情報について処理が指示された際の入力表示装置１の動作例を説明する図である。図４（Ａ）は、手書き入力された後の入力表示装置１の表示画面例を示しており、図４（Ｂ）は、図４（Ａ）が表示されているときの印刷処理結果の一例を示している。
【００３５】
入力表示装置１は、例えば、表示面に対する角度が７０°のペン２によって手書き入力された後に上記角度が３００°のペン２によって手書き入力されると、図４（Ａ）に示すような、手書き入力に応じた表示画面を表示する。
【００３６】
図４（Ａ）のような表示画面を表示中に、画面の「保存」ボタン１１ｂが押下され、手書き入力情報の保存処理が指示されたとする。その場合、角度別設定記憶部１６ａのテーブルＴ１には、表示面に対する角度が７０°のペン２については保存処理が中止され上記角度が３００°のペン２については保存処理が実行されるように設定が記憶されているので、入力表示装置１は、手書き入力情報のうち上記角度が３００°のペン２による情報のみ、後に参照可能に記憶部１６に記憶する。
【００３７】
一方、図４（Ａ）のような表示画面を表示中に、画面の「印刷」ボタン１１ｂが押下され、手書き入力情報の印刷処理が指示されたとする。その場合、角度別設定記憶部１６ａのテーブルＴ１には、表示面に対する角度が７０°のペン２については印刷処理が実行され上記角度が３００°のペン２については保存処理が中止されるように設定が記憶されているので、入力表示装置１は、手書き入力情報のうち上記角度が７０°のペン２による情報のみ印刷した図４（Ｂ）の記録媒体Ｍが印刷されるよう、印刷機出力部１７を介して、外部の印刷機にデータを出力する。
【００３８】
図５及び図６は、図１の入力表示装置１の動作処理を説明するフローチャートである。なお、以下の説明では、複数のペンによる同時手書き入力はないものとする。
図示するように、入力表示装置１の表示画面に対してペンダウンが行われると（ステップＳ１）、入力表示装置１は、タッチパネル１２に対するペン２の接触を検知し、傾き情報として、ペン２の軸方向がいずれの方角を向いているかを示す方角情報をペン２からペン通信部１４を介して受信する（ステップＳ２）。
【００３９】
そして、角度判定部１５が傾き情報に基づいて、表示面に対するペン２の角度を判定し、該角度を示す情報を取得する（ステップＳ３）。取得された、表示面に対するペン２の角度を示す情報は記憶部１６に一時的に記憶される。
次いで、制御部１０が、タッチパネル１２からの出力に基づいて、ユーザがペン２を動かしたか否か判定する（ステップＳ４）。
【００４０】
ユーザがペン２を動かしていた場合（ＹＥＳの場合）、ペン２の軌跡が描画されるように画面制御部１３にてタッチパネル１２からの出力に基づいて描画処理してから（ステップＳ５）、ステップＳ６へ処理を進める。なお、描画処理に用いられた手書き入力情報は、記憶部１６に一時的に記憶される。
ユーザがペン２を動かしていない場合（ステップＳ４、ＮＯの場合）、制御部１０はそのままステップＳ６へ処理を進める。
【００４１】
ステップＳ６では、制御部１０は、ユーザが入力表示装置１からペン２を離したか否かを、タッチパネル１２からの出力に基づいて判定する。
ペン２を離していない場合（ＮＯの場合）、制御部１０は処理をステップＳ４に戻す。ペン２を離していた場合（ＹＥＳの場合）、制御部１０はタイムアウト時間を例えば１秒としてタイマを起動する（ステップＳ７）。
【００４２】
次に、制御部１０がタイムアウトしたか否か判定する（ステップＳ８）。
タイムアウトしていなかった場合（ＮＯの場合）、再度ペンダウンされたか否かをタッチパネル１２からの出力に基づいて判定する（ステップＳ９）。ペンダウンしていない場合（ＮＯの場合）、制御部１０は処理をステップＳ８へ戻す。ペンダウンされていた場合（ＹＥＳの場合）、制御部１０はタイマをクリアし停止してから（ステップＳ１０）、手書き入力が継続されているものとして、ペンの傾き情報の再取得を行わずに、処理をステップＳ４に戻す。
【００４３】
ステップＳ８において、タイムアウトしていた場合（ＹＥＳの場合）、すなわち、ペン２による手書き入力が終了していた場合、制御部１０は、図６に示すように、記憶部１６に記憶のペン２の角度に対応する処理の実行態様の設定を、角度別記憶部１６ａのテーブルＴ１を参照して取得する（ステップＳ１１）。取得した設定情報は、該当するペン２の手書き入力情報に対応づけられて記憶部１６に一時的に記憶される。
【００４４】
続くステップＳ１２では、制御部１０は表示画面の「保存」ボタン１１ｂが押下されたか否か判定する。押下された場合（ＹＥＳの場合）、制御部１０は、保存処理が実行されるよう設定されている設定情報に対応する手書き入力情報を、後に参照可能に非一時的に保存・記憶し（ステップＳ１３）、処理をステップＳ１６へ進める。記憶する場所は、入力表示装置１が内蔵する記憶部１６であってもよいし、外部記憶装置であってもよい。
【００４５】
ステップＳ１２において押下されていない場合（ＮＯの場合）、制御部１０は「印刷」ボタン１１ｃが押下されたか否か判定する（ステップＳ１４）。
押下されていない場合、制御部１０は、そのまま処理をステップＳ１６へ進める。一方、押下された場合（ＹＥＳの場合）、制御部１０は、印刷処理が実行されるよう設定されている設定情報に対応する手書き入力情報が印刷されるよう印刷機出力部１７を介して外部の印刷機にデータを出力してから（ステップＳ１５）、処理をステップＳ１６へ進める。
【００４６】
ステップＳ１６では、制御部１０は、表示画面に対してペンダウンが再度行われたか否か判定する。行われていた場合（ＹＥＳの場合）、制御部１０は、処理を図５のステップＳ２に戻し、再度ペンダウンされたペンについて、傾き情報などを取得すると共に手書き入力に基づく表示を行う。
ステップＳ１６において、ペンダウンが再度行われていなかった場合、制御部１０は手書き入力が終了したか否か判定する（ステップＳ１７）。一定時間以上入力がない場合や、不図示の「終了」ボタンが押下された場合、手書き入力が終了したものと判定される。
【００４７】
制御部１０は、ステップＳ１７において、手書き入力が終了していた場合（ＹＥＳの場合）、表示画面の表示を終了し一時的に記憶していた各種情報を消去し処理を終了させ、一方、手書き入力が終了していない場合（ＮＯの場合）、ステップＳ１２へ処理を戻す。
【００４８】
（実施例２）
以上の例では、入力表示装置がペンの傾き情報をペンから取得し、その傾き情報に基づいて、表示面に対するペンの角度を判定していた。しかし、入力表示装置のタッチパネルに対してペン先と共にユーザの掌が触れる場合は、後述の図７のように、ペン先による入力領域Ｒ１とユーザの掌による入力領域Ｒ２とを検出し、これら入力領域Ｒ１、Ｒ２の位置関係に基づいて、表示面に対するペンの角度を判定することができる。より具体的には、例えば、上記入力領域Ｒ１の中心から入力領域Ｒ２の中心に向かう方向をペン２の軸方向とし、このペン２の軸方向に基づいて表示面に対するペンの角度を判定できる。この場合、入力表示装置には地磁気センサを設ける必要がなく、また、ペンにも３軸加速度センサ及び地磁気センサを設ける必要がないので、コストを削減することができる。
【００４９】
（実施例３）
図７は、本発明の実施例３の入力表示装置と、該入力表示装置に対する手書き入力に用いられるペンを説明するための図である。
実施例１は、ペンによる手書き入力の際、ユーザが右手または左手のいずれか一方を使用することを前提としたものである。
【００５０】
図７（Ａ）及び図７（Ｂ）に示すように、入力表示装置１´の正面側からペン２´による手書き入力を行う場合でも、右手を使うか左手を使うかによってペン２´の角度は異なる。
したがって、右手による手書き入力か左手による手書き入力かを判定する判定部を入力表示装置１´に設け、右手による手書き入力と左手による手書き入力とでは、保存処理や印刷処理等の角度に応じた実行態様を異ならせるとよい。
【００５１】
右手による手書き入力か左手による手書き入力かの判定は、例えば、以下のようにすることで行うことができる。すなわち、ペン２´にスイッチを設け、該スイッチの操作状況を所定のタイミングで入力表示装置１´に送信する。入力表示装置１´では、受信した操作状況の情報に基づいて上記判定を行うことができる。
右手／左手の判定方法は、上述の例に限られず、例えば、上述と同様のスイッチを入力表示装置１´側に設け、該スイッチの操作状況に基づいて判定してもよい。
【００５２】
なお、タッチパネルに対してペン先と共にユーザの掌が触れる場合に、掌によるタッチ入力をキャンセルしペン先によるタッチ入力のみを有効とする方法には従前の技術（例えば特開２０１３−８３１７号公報）を使用できる。また、入力領域がペン先によるものかユーザの掌によるものかは、該入力領域の面積が所定値より大きいか否かで判定することができる。
【００５３】
実施例１、３では、表示部の表示面が水平であるものとし、入力表示装置の正面側が向いている方角と、ペン２の軸方向の方角とにより、表示面に対するペンの角度を判定していた。表示部の表示面が水平でない場合は、上述の情報に加えて、鉛直方向に対する表示面の法線の角度と、鉛直方向に対するペンの軸方向の角度とを取得し、これらの情報に基づいて表示面に対するペンな角度を判定することができる。表示面に対するペンの相対的な角度の判定方法はこれらに限られない。
【００５４】
また、以上の例では、ペンの軸方向がいずれの方角を向いているかを示す方角情報を、ペンが加速度センサ及び地磁気センサからの出力に基づいて算出／取得していた。しかし、加速度センサ及び地磁気センサからの出力を角度判定情報としてペンから入力表示装置１に送信し、入力表示装置１が該出力に基づいてペンの軸方向の方角情報を算出／取得するようにしてもよい。
【００５５】
実施例１〜３において、表示面に対するペンの角度に対応した、処理の実行態様を記憶するテーブルＴ１は、ユーザが個別に設定可能であってもよい。ユーザによっては特殊なペンの持ち方をすることもあるからである。
【００５６】
（実施例４）
図８は、本発明の実施例４の入力表示装置と、該入力表示装置に対する手書き入力に用いられるペンの一例を説明するためのブロック図である。図９は、図８のペンＩＤ別設定記憶部３２ａに記憶する情報の一例を説明する図である。
【００５７】
本例では、ペンを識別するための識別情報であるペンＩＤが各ペンに割り当てられており、ユーザは、保存処理や印刷処理の希望実行態様に応じてペンを使い分ける。
【００５８】
そのため、ペン２”はペンＩＤを記憶するペンＩＤ記憶部４２を備える。
通信部４１は、接触検出部２２によってペン２”のペン先とタッチパネル１２との接触が検知されると、ペンＩＤ記憶部４２に記憶のペンＩＤを入力表示装置１”に送信する。
【００５９】
入力表示装置１”のペン通信部３１は、ペンＩＤをペン２”から受信する「識別情報取得部」である。ペン通信部３１は、ペンの種別を示す種別情報としてペンＩＤを取得する「ペン種別情報取得部」である。
記憶部３２のペンＩＤ別設定記憶部３２ａは、ペンＩＤに対応づけて、手書き入力情報の処理の実行態様の設定を予め記憶する。ペンＩＤ別設定記憶部３２ａは、例えば、図９のテーブルＴ２のように、手書き入力情報の保存処理及び印刷処理の実行態様の設定をペンＩＤ毎に予め記憶する。
【００６０】
入力表示装置１”は、ペン２”から取得されたペンＩＤに対応する処理の実行態様の設定を、所定のタイミングでペンＩＤ別設定記憶部３２ａを参照して取得する。
そして、表示されたペン２”による手書き入力情報について、保存処理や印刷処理の実行が指示されると、上記処理の実行態様の設定に基づいて、指示された処理を中止したり開始したりする。
【００６１】
手書き入力情報について保存処理のみ実行可能とし印刷処理の実行の中止を希望するユーザ、例えば店員は、ペンＩＤ「０」のペン２”を使用する。
一方、手書き入力情報について印刷処理のみ実行可能とし保存処理の実行の中止を希望するユーザ、例えば客は、ペンＩＤ「１」のペン２”を使用する。
また、印刷処理及び保存処理のいずれの実行も中止を希望するユーザは、ペンＩＤ「２」のペン２”を使用する。
印刷処理及び保存処理のいずれについても実行を希望するユーザは、ペンＩＤ「３」のペン２”を使用する。
【００６２】
以上のように、入力表示装置１”においても、手書き入力された情報の印刷や保存が不用意に行われることのないようにすることができる。
【００６３】
図１０及び図１１は、図７の入力表示装置１”の動作処理を説明するフローチャートである。なお、以下の説明では、複数のペンによる同時手書き入力はないものとする。
図示するように、入力表示装置１”の表示画面に対してペンダウンが行われると（ステップＳ２１）、入力表示装置１”は、タッチパネル１２に対するペン２”の接触を検知し、ペンＩＤをペン２”からペン通信部３１を介して受信する（ステップＳ２２）。受信したペンＩＤは記憶部３２に一時的に記憶される。
【００６４】
そして、制御部３０が、タッチパネル１２からの出力に基づいて、ユーザがペン２”を動かしたか否か判定する（ステップＳ２３）。
【００６５】
ユーザがペン２”を動かしていた場合（ＹＥＳの場合）、ペン２”の軌跡が描画されるように画面制御部１３にてタッチパネル１２からの出力に基づいて描画処理してから（ステップＳ２４）、ステップＳ２５へ処理を進める。なお、描画処理に用いられた手書き入力データは、記憶部３２に一時的に記憶される。
ユーザがペン２”を動かしていない場合（ステップＳ２３、ＮＯの場合）、制御部３０はそのままステップＳ２５へ処理を進める。
【００６６】
ステップＳ２５では、制御部３０は、ユーザが入力表示装置１”からペン２”を離したか否かを、タッチパネル１２からの出力に基づいて判定する。
ペン２”を離していない場合（ＮＯの場合）、制御部３０は処理をステップＳ２３に戻す。ペン２”を離していた場合（ＹＥＳの場合）、制御部３０はタイムアウト時間を例えば１秒としてタイマを起動する（ステップＳ２６）。
【００６７】
次に、制御部３０がタイムアウトしたか否か判定する（ステップＳ２７）。
ステップＳ２７において、タイムアウトしていなかった場合（ＮＯの場合）、再度ペンダウンされたか否かをタッチパネル１２からの出力に基づいて判定する（ステップＳ２８３０）。ペンダウンしていない場合（ＮＯの場合）、制御部３０は処理をステップＳ２７へ戻し、ペンダウンされていた場合（ＹＥＳの場合）、制御部３０はタイマをクリアし停止してから（ステップＳ２９）、手書き入力が継続されているものとして、ペンＩＤの再取得を行わずに、処理をステップＳ２３に戻す。
【００６８】
ステップＳ２７において、タイムアウトしていた場合（ＹＥＳの場合）、すなわち、ペン２”による手書き入力が終了していた場合、制御部３０は、図１１に示すように、記憶部３２に記憶のペン２”のペンＩＤに対応する処理の実行態様の設定を、ペンＩＤ別設定記憶部３２ａのテーブルＴ２を参照して取得する（ステップＳ３０）。取得した設定情報は、該当するペン２の手書き入力情報に対応づけられて記憶部３２に一時的に記憶される。
【００６９】
続くステップＳ３１では、制御部３０は表示画面の「保存」ボタン１１ｂが押下されたか否か判定する。押下された場合（ＹＥＳの場合）、制御部３０は、保存処理が実行されるよう設定されている設定情報に対応する手書き入力情報を、後に参照可能に非一時的に保存・記憶し（ステップＳ３２）、処理をステップＳ３５へ進める。記憶する場所は、入力表示装置１”が内蔵する記憶部３２であってもよいし、外部記憶装置であってもよい。
【００７０】
ステップＳ３１において押下されていない場合（ＮＯの場合）、制御部３０は「印刷」ボタン１１ｃが押下されたか否か判定する（ステップＳ３３）。
押下されていない場合、制御部３０は、そのまま処理をステップＳ３５へ進める。一方、押下された場合（ＹＥＳの場合）、制御部３０は、印刷処理が実行されるよう設定されている設定情報に対応する手書き入力情報が印刷されるよう印刷機出力部１７を介して外部の印刷機にデータを出力してから（ステップＳ３４）、処理をステップＳ３５へ進める。
【００７１】
ステップＳ３５では、制御部３０は、表示画面に対してペンダウンが再度行われたか否か判定する。行われていた場合（ＹＥＳの場合）、制御部３０は、処理を図１０のステップＳ２２に戻し、再度ペンダウンされたペンについて、ペンＩＤなどを取得すると共に手書き入力に基づく表示を行う。
ステップＳ３５において、ペンダウンが再度行われていなかった場合、手書き入力が終了したか否か判定する（ステップＳ３６）。一定時間以上入力がない場合や、不図示の「終了」ボタンが押下された場合、手書き入力が終了したものと判定される。
【００７２】
制御部３０は、ステップＳ３６において、手書き入力が終了していた場合（ＹＥＳの場合）、表示画面の表示を終了し一時的に記憶していた各種情報を消去し処理を終了させ、一方、手書き入力が終了していない場合（ＮＯの場合）、ステップＳ３１へ処理を戻す。
【００７３】
（実施例５）
以上の例では、手書き入力に用いられたペンの種別を示す種別情報として、表示面に対する当該ペンの角度を示す情報や当該ペンの識別情報を取得していた。しかし、特開２０１１−２８６９７号公報のように、ペン先の構造が互いに異なる複数のペンを用意しておき、これらペンのタッチパネルに対する接触状態を検出し、当該接触状態を示す情報を上記識別情報として取得するようにしてもよい。
この場合も、接触状態に対応づけて、手書き入力情報の処理の実行態様の設定を予め記憶しておけば、上述の実施例と同様に、入力表示装置において、保存処理や印刷処理の実行が指示されたときに、上記処理の実行態様の設定に基づいて、ペンの接触状態に応じて、指示された処理を中止したり開始したりすることができる。したがって、手書き入力された情報の印刷や保存が不用意に行われることのないようにすることができる。
【００７４】
実施例１〜４では、タッチパネルとペン先が接触したか否かに基づいて、ペンダウンすなわち手書き入力を検知していた。しかし、ペン先が完全に接触していなくてもタッチパネルにて所定量以上の静電容量変化が検知された場合には手書き入力されたものとしてもよい。この場合、ペンには上述の接触検出部を設ける必要がなく、傾き情報やペンＩＤの情報はペン先の接触検出後ではなく定期的にペンから送信される。
【００７５】
本発明の手書き入力装置において、ペンの種別に応じて手書き入力情報の表示画面での表示色を異ならせてもよい。
手書き入力情報の保存処理を実行する際は、軌跡情報を保存してもよいし、当該手書き入力情報の表示部分を含む表示画面全体や同表示画面の当該手書き入力情報部分のみをイメージで保存してもよい。
また、手書き入力情報の印刷処理を実行する際は、当該手書き入力情報の表示部分を含む表示画面全体や同表示画面の当該手書き入力情報部分のみを印刷してもよい。
【００７６】
なお、本発明において実行態様を異ならせる処理は、上述の例の保存処理や印刷処理に限られない。例えば、Ｅメールを用いた送信処理や赤外線通信などを用いた転送処理も含まれる。
【００７７】
また、指示された処理を中止する際は、当該手書き入力情報に対する、指示した処理は禁止されていることを示すメッセージを表示部に表示するとよい。
手書き入力情報の保存処理を実行する際は、保存先を選択する選択画面を表示部に表示するとよい。
【００７８】
入力表示装置は、情報を表示する表示面を有する表示部と、表示面に対するユーザのペンによる手書き入力を検出するタッチパネルと、を備え、手書き入力された情報を表示部に表示するものであって、手書き入力に用いられたペンの種別を示す種別情報を取得するペン種別情報取得部と、表示された手書き入力された情報の処理が指示された際に、当該手書き入力に用いられたペンについて種別情報が示すペンの種別に応じて、上記処理の実行態様を異ならせる制御部と、を備える。これにより、手書き入力された情報に対する印刷や保存、転送などの処理が不用意に行われるのを防ぐことができる。
【００７９】
種別情報は、例えば、表示面に対する前記ペンの角度を示す情報である。この場合、制御部は、表示面に対するペンの角度に応じて、指示された処理の実行態様を異ならせることができる。
【００８０】
入力表示装置が、ペンの傾き情報を、当該ペンから受信する傾き情報受信部を備えるようにすれば、ペン種別情報取得部は、ペンの傾き情報に基づいて、表示面に対するペンの角度を示す情報を取得することができる。
【００８１】
また、種別情報は、ペンを識別する識別情報であってもよい。この場合、制御部は、識別情報に応じて、指示された処理の実行態様を異ならせることができる。
【００８２】
種別情報は、タッチパネルに対するペンの接触状態を示す情報であってもよい。この場合、制御部は、タッチパネルに対するペンの接触状態に応じて、指示された処理の実行態様を異ならせることができる。
【００８３】
上記処理は、例えば、手書き入力された情報の保存処理、印刷処理及び転送処理のいずれか１つである。
【００８４】
また、実行態様とは、例えば、上記処理の中止または実行である。
【符号の説明】
【００８５】
１，１´，１”…入力表示装置、１０、３０…制御部、１１…表示部、１１ａ…表示面、１２…タッチパネル、１３…画面制御部、１４，…通信部、１５…角度判定部、１６，３２…記憶部、１６ａ…角度別設定記憶部、１７…印刷機出力部、２，２´，２”…ペン、２０…制御部、２１，４１…通信部、２２…接触検出部、２３…傾き情報取得部、３２ａ…ペンＩＤ別設定記憶部、４２…ペンＩＤ記憶部。
【図１】
2016035664.tif 000003
【図２】
2016035664.tif 000004
【図３】
2016035664.tif 000005
【図４】
2016035664.tif 000006
【図５】
2016035664.tif 000007
【図６】
2016035664.tif 000008
【図７】
2016035664.tif 000009
【図８】
2016035664.tif 000010
【図９】
2016035664.tif 000011
【図１０】
2016035664.tif 000012
【図１１】
2016035664.tif 000013